(57)【要約】      （修正有）【課題】  ロッカーの側壁面に設置した衣服類掛止用フックから衣服を取り外し操作した際、衣服やフックに過大な力が働いたとしても、衣服やフックへの過大な力が作用するのを防止し、ロッカー側壁の破損を防止し、幼稚園等で用いる木製ロッカーの耐久性向上をも図る。【解決手段】  ロッカーの側壁面２ａに設置し、衣服類を引っ掛けで掛止する衣服掛止用フックであって、壁面に固定する基盤１１と、該基盤に設けられた弧状のガイド部１２，１３と、壁面に沿い、且つ該ガイド部に沿って上方位置から下方位置に弧状に移動可能な略Ｌ形の掛止部材２１と、該掛止部材２１をガイド部の上方位置へ付勢する付勢部材２３と、該掛止部材を上方位置に位置決めする位置決め機構とで構成した。【選択図】図７
2006230960.tif 000002
【特許請求の範囲】
【請求項１】
ロッカー等の側壁面に設置し、衣服類を引っ掛けで掛止する衣服類掛止用フックであって、
壁面に固定する基盤と、該基盤に設けられた弧状のガイド部と、壁面に沿い、且つ該ガイド部に沿って上方位置から下方位置に弧状に移動可能な略Ｌ形の掛止部材と、該掛止部材をガイド部の上方位置へ付勢する付勢部材と、該掛止部材を上方位置に位置決めする位置決め機構と、
からなる衣服類掛止用フック。
【請求項２】
前記位置決め機構は、弧状のガイド部の端部、又は基盤に突設した掛止部材の回動を規制するストッパ部、又は弧状のガイド部に設けた規制部の何れか一つであり、前記掛止部材の付勢部材は、ばねであることを特徴とする請求項１記載の衣服類掛止用フック。
【請求項３】
前記位置決め機構を構成するストッパ部、又はガイド部に設けた規制部は、弧状ガイド部に沿って２カ所設け、一方を除去して他方をストッパ、又は規制部としたことを特徴とする請求項２記載の衣服類掛止用フック。
【請求項４】
前記掛止部材の略Ｌ形に突出する側とは反対側の縁に、基部から先端部に傾斜する傾斜縁を設けたことを特徴とする請求項１又は請求項２に記載の衣服類掛止用フック。
【請求項５】
前記掛止部材は、基部及び略Ｌ形のフック部分で構成し、フック部分と基部とは、フック部分を倒した下方位置で倒れ側に屈曲するように枢着したことを特徴とする請求項１又は請求項２に記載の衣服類掛止用フック。
【請求項６】
請求項１〜請求項５の何れか１項記載の衣服類掛止用フックを、衣服類収納空間の壁面に設置したことを特徴とするロッカー。
【発明の詳細な説明】
【技術分野】
【０００１】
本発明は、ロッカーの側壁面に設置し、衣服類を引っ掛け、保持する衣服類掛止用フック及びロッカーに関するものである。
【背景技術】
【０００２】
幼稚園等では、園児は園内で私服から制服に着替え、又制服から私服に着替える。着替えた不使用の衣服は、ロッカー内に設けた衣服掛止用フックに掛けて保持、収納する。
衣服を掛けて保持するフックは、ロッカーの壁面に設置されており、衣服掛止用フックは、ロッカーの収納空間内の奥の壁面では衣服を取り出しにくく、又奥の壁面では一面しか使用し得ないことから左右の側壁面に設置することが好ましい。
【０００３】
従来、衣服を掛けることが可能な壁面設置用の帽子かけが知られている（例えば、特許文献１参照。）。
【特許文献１】実開昭６０−２７７７５号公報
【０００４】
特許文献１の帽子かけは、壁面に設置するカバー主体１（特許文献１中の符号を用いる。）に、支点３で枢着されたフック状の突起部分４を取付壁面と直角の方向に揺動自在に設けた構造である。
特許文献１の帽子かけを衣服掛止用フックとして用いる場合は、壁面に設置した帽子かけの突起部分４を壁面と直角方向に引き出し、衣服をフックに掛止して保持する。
【０００５】
ところで、園児においては、ロッカーの側壁面にフックを設置した場合は、フックに掛止、保持した衣服を取り外す際、衣服は壁面と平行する方向に引き出すこととなる。
園児等の小さい子供では、側壁面から直角方向に突出するフックに衣服が掛止された状態でも、手加減せずに無理に側壁面と平行する方向に衣服を引っ張って取り外そうとする場合がある。
【０００６】
フックの設置壁面と平行する方向に衣服を引っ張った場合には、フックに対し交叉する方向に衣服を引っ張ることとなり、衣服、フックに無理な負荷がかかる。
この結果、衣服が破れたり、フックを折損したり、甚だしい場合には、フックの取付基盤を含むフック全体がロッカーの側壁面から剥離し、ロッカーの側壁面を傷める場合がある。
木製のロッカーを用いた場合には、フックから衣服を取り外す際の無理な操作で、衣服が破れる他、ロッカーの板材が破損したりし、フック全体が木製の壁面から剥離したりする。木の板材からなるロッカーの設置壁面を傷めた場合には、修復が難しくなり、側板の交換等を要する等の不都合がある。
【０００７】
上記した特許文献１の帽子かけでは、フックに相当する突起部分４は、カバー主体に対し揺動はするが、壁面と直角の方向に出没、揺動するので、突起部分４に衣服を掛け、引っ張った場合には、突起部分４に揺動不可の壁面と平行する方向に負荷がかかり、衣服や突起部分が破損したり、設置壁面が破損するおそれがある。
従って、上記と同様の不都合を抱える衣服掛けである。
【発明の開示】
【発明が解決しようとする課題】
【０００８】
本発明は、以上の従来の衣服掛止用フックの問題点を解決すべくなされたものである。
本発明は、ロッカーの側壁面に衣服掛止用フックを設置し、衣服を掛止した際、壁面と平行する方向から衣服の取り外し操作を行い、万一手加減せずこの操作を行い、衣服やフックに過大な力が働いたとしても、衣服やフックへの過大な力（負荷）が作用するのを防止し、衣服、フックの破損、ひいてはフックを設置したロッカー側壁の破損を防止し、幼稚園等で用いる木製ロッカーの衣服着脱時におけるフック設置側壁への負荷軽減、破損防止を通してロッカーの耐久性向上をも企図し得る衣服掛止用フックを提供することを課題とする。
【課題を解決するための手段】
【０００９】
請求項１に係る発明は、ロッカー等の側壁面に設置し、衣服類を引っ掛けで掛止する衣服類掛止用フックであって、壁面に固定する基盤と、該基盤に設けられた弧状のガイド部と、壁面に沿い、且つ該ガイド部に沿って上方位置から下方位置に弧状に移動可能な略Ｌ形の掛止部材と、該掛止部材をガイド部の上方位置へ付勢する付勢部材と、該掛止部材を上方位置に位置決めする位置決め機構とからなることを特徴とする。
【００１０】
請求項２に係る発明は、請求項１において、前記位置決め機構は、弧状のガイド部の端部、又は基盤に突設した掛止部材の回動を規制するストッパ部、又は弧状のガイド部に設けた規制部の何れか一つであり、前記掛止部材の付勢部材は、ばねであることを特徴とする。
【００１１】
請求項３に係る発明は、請求項２において、前記位置決め機構を構成するストッパ部、又はガイド部に設けた規制部は、弧状ガイド部に沿って２カ所設け、一方を除去して他方をストッパ、又は規制部としたことを特徴とする。
【００１２】
請求項４に係る発明は、請求項１又は請求項２において、前記掛止部材の略Ｌ形に突出する側とは反対側の縁に、基部から先端部に傾斜する傾斜縁を設けたことを特徴とする。
【００１３】
請求項５に係る発明は、請求項１又は請求項２において、前記掛止部材は、基部及び略Ｌ形のフック部分で構成し、フック部分と基部とは、フック部分を倒した下方位置で倒れ側に屈曲するように枢着したことを特徴とする。
【００１４】
衣服類を収納するロッカーであって、請求項１〜請求項５の何れか１項記載の衣服類掛止用フックを、衣服類収納空間の壁面に設置したことを特徴とする。
【発明の効果】
【００１５】
請求項１に係る発明では、ロッカー等の側壁面に設置した衣服類を掛止する略Ｌ形の掛止部材は、側壁面に取り付けたガイド部に移動可能に設けられており、ガイド部内に付勢されて上方位置に保持されており、衣服類を確実に掛止し、衣服類を壁面と平行する方向で、掛止部材の突出方向に対し直角方向に引っ張って取り外そうとした場合、掛止部材はガイド部にガイドされて側壁面に沿って起立したＬ形部分が上方位置から下方位置に弧状に移動して倒れ、Ｌ形部分の先端が手前側（衣服を引っ張る方向）に向くので、衣服類は外れ易く、衣服は掛止部材から容易に外れる。
従って、掛止部材に衣服類を掛止し、子供等が手加減せずに衣服類を引っ張って取り外そうとした場合においても、衣服類はフックから容易に外れ、衣服類やフックの破損、延いてはフックを設置したロッカーの壁面が傷ついたり、破損することがない。
また、以上を基盤のガイド部を介して上方位置から下方位置に弧状に移動可能な略Ｌ形の掛止部材と、これを原位置である上方位置に位置決めし、この位置に付勢する付勢部材で構成するので、構造が簡素であり、しかも、弾性部材で付勢された掛止部材は、ガイド部に沿って弧状に移動して衣服の取り外しを行うので、衣服類を掛止した掛止部材の確実で安定した衣服の取り外しがなされる。
【００１６】
請求項２に係る発明では、位置決め機構を、弧状のガイド部の端部、又は基盤に突設した掛止部材の回動を規制するストッパ部、又は弧状のガイド部に設けた規制部の何れか一つとし、掛止部材の付勢部材はばねとしたので、請求項１の効果に加えるに、ガイド部材の端部、ストッパ部、規制部の何れかに付勢され、起立した掛止部材の位置決めは確実になされる。又付勢部材をばねとすることで、トーションばね等を用いることが出来、付勢機構の簡素化と作動の安定、確実を図ることが出来る。
【００１７】
請求項３に係る発明では、位置決め機構を構成するストッパ部、又はガイド部に設けた規制部は、弧状ガイド部に沿って２カ所設け、一方を除去して他方をストッパ、又は規制部としたので、請求項１，２の効果に加えるに、左右の側壁の一方を選択して衣服掛止用フックを設置するに際し、２カ所のストッパ部、又は規制部の一方を選択して残し、他方を除去することで、左右の側壁の何れにも同一の衣服掛止用フックを設置することが出来、汎用性に優れるとともに、任意側壁面への設置、選択作業もストッパ部、又は規制部の一方を除去するだけなので、容易である。
【００１８】
請求項４に係る発明では、掛止部材の衣服を引っ掛ける縁の反対側の縁に、基部から先端部に傾斜する傾斜縁を設けたので、略Ｌ形の掛止部材を下方位置へ移動させ、フック部の先端が手前側（衣服類を引っ張る方向）に向いた際、フック部の先端の向きとが反対側の縁が先端部方向に傾斜しているので、請求項１又は請求項２の効果に加えるに、衣服類は該傾斜に沿って円滑、容易に摺動し、掛止部材に過大な力が作用することなく、衣服類を掛止部材から円滑、容易に取り外すことができる。
【００１９】
請求項５に係る発明では、掛止部材を基部及びフック部分で構成し、フック部分と基部とは、フック部分の上方位置で上方に屈曲可能に枢着し、フック部分を倒した下方位置で倒れ側に屈曲するようにしたので、フック部分を下方位置として手前側に倒した際、衣服類を手前に引っ張ることでフック部分が引っ張る方向に屈曲し、衣服類を円滑、確実、容易に掛止用フックから取り外すことができる。
【００２０】
請求項６に係る発明では、請求項１〜請求項５に記載の衣服類掛止用フックをロッカーの衣服類収納空間の壁面に設置したので、請求項１〜請求項５の効果とともに、ロッカーの衣服類収納空間の壁面に設置した掛止部材に衣服類を掛止し、子供等が手加減せずに衣服類を引っ張って取り外そうとした場合においても、衣服類はフックから容易に外れ、フックを介して衣服類を掛止したロッカーの壁面に、フックを介して過大な力や無理な負荷が作用するのを防止し、ロッカーの衣服を掛止する壁面が傷ついたり、破損することがなく、ひいてはロッカーの傷つきや破損を防止することができる。
【発明を実施するための最良の形態】
【００２１】
本発明を実施するための最良の形態を添付図に基づいて以下に説明する。なお、図面は符号の向きに見るものとする。
図１は、ロッカー及びロッカーに衣服を収納した状態を示す説明的斜視図である。
ロッカー１は実施の形態では左右に３個の収納空間２…を備える３連のものを示している。ロッカー１は、左右の側板１ａ，１ａ、天井板１ｂ、奥壁板１ｃ、底板１ｄを備え、前方に開放している。
左右方向の中間部に２枚の仕切板３，３を縦設して内部を同幅、同高の３個の収納空間２…に仕切っている。
以上のロッカー１は、構成部材を木製の板材で構成した。
【００２２】
収納空間２…の底には内底板１ｅ…を配置し、内底板１ｅ…と底板１ｄとの間に中間底板１ｆ…を横架し、内底板１ｅ…中間底板１ｆ…の間、中間底板１ｆ…と底板１ｄとの間に前方に引き出し可能な抽出４，４…を上下に収納し、抽出４，４…には園児の小物やバッグ、下履き等を収納する。
収納空間２…内に、幼稚園等で着替えた後の衣服５を掛止する衣服類掛止用フック１０を設置する。
衣服類掛止用フック１０は、ロッカー１の収納空間２…の内側を向く側面（壁面）２ａ、仕切板３，３の該面２ａと平行する側面（壁面）２ａ，２ａの上部に設置する。
【００２３】
掛止用フック１０は、図１の衣服を掛止していない右端の収納空間２Ｃに設置した状態を明らかに示した。
衣服５を掛止する掛止部材２１は、仕切板３の取付面である側面（壁面）２ａと直角の方向に突出している。
以上の掛止用フック１０は、収納空間２Ａ，２Ｂにおいても、その内側の左側の側面（壁面）２ａ，２ａの上部に設置されており、これらの掛止用フック１０，１０には衣服５，５を掛止した状態を示した。
尚、実施例では、掛止用フック１０は、収納空間２Ａ〜２Ｃにおいて夫々１個づつ設置されている状態を示したが、各側面（壁面）２ａ…に２個以上並べて設置することも可能である。また、同時に収納空間２Ａ〜２Ｃにおいて、上記した設置側面（壁面）２ａに向かい合う側面（壁面）に設置することも可能であり、例えば、各収納空間２Ａ〜２Ｃの両側の側面（壁面）に夫々２個づつの各空間に４個づつの掛止用フック１０…を設置しても良い。
【００２４】
図２は、掛止用フック１０の正面側から見た外観斜視図、図３は正面図、図４は図３の４−４線断面図、図５は基盤の要部の背面図、図６は同位置決め機構の説明的斜視図、図７は分解斜視図である。
これらの図面を参照しつつ説明する。
【００２５】
掛止用フック１０は基盤１１と掛止部材２１、２１とからなる。基盤１１は、図２、図３、図７で示した通り、実施の形態では上半部が弧状で、下半部が矩形であり平坦な板状の本体１１ａの外面が正面を構成し、本体１１ａの周縁部は裏面に囲枠状に突出し、周縁部を囲む突縁部１１ｂを形成している。
図２及び図３で示した通り、突縁部１１ｂの左右には、取付面２ａへの取付フランジ部１１ｃ，１１ｃが左右に張り出すように設けられており、取付フランジ部１１ｃ，１１ｃを取付面である側面２ａにビス等で固定する。
【００２６】
基盤１１の本体１１ａには、図２、図３で明らかなようにガイド部を構成する弧状のガイド長孔１２，１３を、本体１１ａの表裏を貫通するように設ける。
ガイド長孔１２，１３は、長さがある下向きの弧状の長孔で構成され、上下に所定の間隔を空けて離間するように平行に設けられている。
ガイド長孔１２，１３の円弧の中心位置には裏面方向に突出する支軸部１４，１５を突設し、実施の形態では、図４で示したように筒軸状に支軸部１４，１５を裏面方向に突出させた。
【００２７】
掛止部材２１は実施の形態では上下に２個備え、一方が長く、他方が短い。各掛止部材２１，２１は、以上の上下の支軸部１４，１５に、各基部２１ａに設けた係合孔２１ｂを介して回転自在に嵌合支持し、フック部２２を、本体１１ａの弧状長孔１２，１３から、本体１１ａの表面と直交する方向に突出するように設置する。
各掛止部材２１は、図５、図７で明らかなように、係合孔２１ｂを穿設した円盤状の基部２１ａと、これの上方に延設されたアーム部２１ｃと、アーム部２１ｃから基部２１ａと直交する方向に突出した長さを有する衣服を引っ掛けて掛止するフック部２２とからなる。
フック部２２は、基部に大径段部２２ａを備えて基部から中間部の軸部２２ｂが棒状で直線状であり、先部の掛止部２２ｃが上傾して衣服を引っ掛けて抜き難くしている。
【００２８】
ところで、基盤１１の本体１１ａの裏面であって、裏面に突出した支軸部１４，１５の上方左右には裏面方向に突出する長い杆状のストッパを構成する突起１６Ａ，１６Ｂを予め突設しておき、掛止部材２１の揺動方向を許容する側の突起を折ったりして除去する。図６では、裏面から見て右側の突起１６Ｂを除去した。
ところで、掛止用フック１０の設置は、図１で示すロッカー１の空間２Ａ〜２Ｃの左右の側面（壁面）を選択することで、２つ設けた突起１６Ａ，１６Ｂの一方を除去し、他方を残置する。残置させる突起１６Ａ，１６Ｂの選択は、後述するばね２３の付勢方向に対し規制する側のものである。
【００２９】
図５、図６で明示されるように、裏面に突出する支軸部１４，１５は、上側の支軸部１４の基部に大径段部１４ａ（下段は１５ａ。図４参照）を設け、これの周辺部に係止孔１１ｄを設け、一方、掛止部材２１の基部２１ａの係合孔２１ｂの周辺部には係止孔２１ｄを設ける。
掛止部材２１の復帰及び位置保持用のばね２３は、実施の形態ではトーションばねであり、コイル部２３ａを基盤１１の裏面に突出した支軸部１４の外周に嵌合し、一端部２３ｂを基盤１１の本体１１ａに設けた係止孔１１ｄに係止する。
【００３０】
一方、掛止部材２１は、フック部２２の軸部２２ｂ及び先部を上側の弧状長孔１２に挿入し、基部２１ａを係合孔２１ｂを介して筒状の支軸部１４に嵌合し、基部２１ａの係止孔２１ｄにトーションばね２３のコイル部２３ａの他端部２３ｃを係止する。
掛止部材２１は、その基部２１ａの係合孔２１ｂを介して支軸部１４に回動自在に嵌合されている。
下側の支軸部１５と掛止部材２１との関係は上部と同構造であり、図４に示したように、トーションばね２３を支軸部１５と掛止部材２１の基部２１ａとの間に係止した。
前記したように掛止部材２１は、図２、図４、図７で示したように上側のもの２１Ａを長くし、下側のもの２１Ｂは短かく、上下の掛止部材２１Ａ，２１Ｂで衣服類を掛止した場合の取り易さや、一方が衣服、他方が帽子やバッグ等のように使い分けても良い。
【００３１】
以上により、基盤１１の本体１１ａの正面に開口する上下の弧状の長孔１２，１３から突出する掛止部材２１Ａ，２１Ｂは、図２、図３において矢印（ア）で示した時計方向（右回り）の回転力がばね２３で付勢され、この側に設けた前記の突起１６Ａが規制、位置決め部材として機能し、支軸部１４，１５に回転自在で、付勢された掛止部材２１Ａ，２１Ｂは、各基部２１ａが突起１６Ａに当接することで図２、図３に示す位置に位置決め、保持される。
この位置では、掛止部材２１Ａ，２１Ｂは、図３に示したように、中心位置よりも若干回転の許容方向よりも反対側に傾斜した位置で保持される。
ところで、掛止用フック１０を左右の側壁（壁面）の何れかに設置するかにより、ばね２３の巻き方向が異なり、この場合は巻き方向が異なるばねに交換する必要があるが、ばねの巻き方向を変えれば左右何れの側面（壁面）にも掛止用フック１０は設置が可能である。
【００３２】
掛止部材２１Ａ，２１Ｂの上下の各フック部２２，２２は、長孔１２，１３内においてストッパ１６Ａ，１６Ａとは反対側の図の反時計方向（左方向）に回転が許容され、矢印（イ）方向に長孔内において、ばねの付勢に抗し、弧状に移動（回転）することができる。
【００３３】
図８は、掛止用フック１０の掛止部材２１に衣服５を掛止した状態を示す斜視図、図９は、図８の状態から衣服を引っ張った状態を示す斜視図である。
衣服５は、フック部２２の先部の掛止部２２ｃに襟部５ａが引っ掛けて掛止され、ロッカー１の収納空間２内において側面２ａに沿ってぶら下がって保持される。
通常では、襟部５ａが持ち上がるように衣服をフック部２２の先部の掛止部２２ｃから外し、衣服を掛止部材２１から外す。
ところで、襟部５ａが掛止部材２２の掛止部２２ｃに引っ掛かったまま矢印（ウ）で示すように収納空間２の開放側である手前側に引っ張る場合がある。
【００３４】
図８に示すように、衣服５の襟部５ａが掛止部材２１の掛止部２２ｃに引っ掛かったまま矢印（ウ）の方向に引っ張ったとしよう。
掛止部材２１は支軸部１４を支点として図の手前方向（左方向）に長孔１２に沿ってばね２３の付勢に抗して回転し、フック部２２の掛止部２２ｃは、図９に示すように回転によりその先端が手前側に向き、襟部５ａが掛止から容易に外れる向きとなる。
【００３５】
矢印（エ）への衣服５の引っ張りを継続することにより、図９に示すように襟部５ａは掛止部２２ｃに引っ掛かることなく、該掛止部２２ｃから容易に外れる。
従って、衣服を無理にフック１０から外そうと引っ張っても、衣服を掛止するフック部２２の掛止部２２ｃの向きは、図９に示したように掛止を開放する方向となり、幼稚園等の園児が往々にして行う衣服の引っ張りによる掛止用フック１０からの取り外しに際し、衣服を傷めたり、掛止用フックの各部を損傷したり、フックを介してロッカーの取付壁面へ悪影響を及ぼすことを防止することができる。
【００３６】
図１０は、ストッパの他の実施の形態を示す斜視図である。図において、前記した構成と同一部分には同一符号を付し、説明は省略する。
基盤１１の本体１１ａに形成した弧状の長孔１２，１３内の左右の部分には、長孔１２，１３の上下の縁を繋ぐように２個のブリッジ部１１６Ａ，１１６Ｂを設ける。
【００３７】
図１１は、長孔のブリッジ部の一方を除去し、ストッパを形成した状態の説明的斜視図である。
ブリッジ部１１６Ａ，１１６Ｂの一方、例えば１１６Ｂを除去する。これにより他方のブリッジ部１１６Ａが長孔１２内の一方の半部に残留し、ストッパを構成する。ブリッジを除去した側は長孔１２が連通し、長孔１２の連通部１２ａ内に臨むフックは、連通部１２ａ内で移動可能であり、移動はストッパ（ブリッジ部）１１６Ａで規制され、上記したストッパを構成する突起１６Ａと同様に機能する。
【００３８】
図１２は、図１１におけるストッパを採用した掛止用フック１０の正面図である。
図で明らかなように、掛止部材２１、２１をガイドする上下の長孔１２，１３の連通部１２ａ、１３ａの中央部より右より位置に残留ブリッジ部で形成されたストッパ（ブリッジ部）１１６Ａ，１１６Ａが臨み、ばねで図の右方向に付勢された掛止部材２１，２１を規制し、この位置に保持する。
【００３９】
図１３は、ストッパの更なる他の実施の形態を示す斜視図である。図において、前記した構成と同一部分には同一符号を付し、説明は省略する。
弧状長孔２１２及び２１３の円弧の角度を、前記した例に比較して短くし、長孔２１２，２１３の付勢された掛止部材２１，２１が当接する端部２１２ａ，２１３ａを支軸部１４，１５の右上位置に配置し、掛止部材２１，２１の端部２１２ａ，２１３ａへの当接で、端部２１２ａ，２１３ａをストッパとして機能させる。
この実施の形態では、ストッパが前記したような折らない残留したピン状のストッパで構成するのと異なり、ストッパ（係止部）の強度を高めることが可能である。
【００４０】
図１４は、掛止部材の他の実施の形態を示す図で、（ａ）は側面図、（ｂ）は正面図である。図において、前記した構成と同一部分には同一符号を付し、説明は省略する。
掛止部材２１の棒状フック部２２の軸部２２ｂの上傾した先部の掛止部２２ｃとは反対側の部分に、軸方向に向かって長さのあるガイド片１２２を径方向外方に突設した。
ガイド片１２２は、先部１２２ａが先部の掛止部２２ｃの背面と合流して突出量が小さく、大径段部２２ａに近くなるにつれて後部１２２ｂの突出量が大きくなり、先部１２２ａと後部１２２ｂとを直線状の傾斜した縁辺１２２ｃで繋げている。
【００４１】
図１５及び図１６は、図１４の掛止部材２１による衣服の掛止状態及び取り外し操作の状態を示す斜視図である。
図１５では掛止部材２１のフック部２２はガイド長孔１２の最上位よりも若干図の右側に偏寄した位置で付勢により保持されており、傾斜した掛止部２２ｃは衣服５の襟部５ａを引っ掛けて保持している。
この状態で、矢印（ウ）のように手前側に衣服５を引っ張り、外し操作をしたとしよう。
【００４２】
衣服５の引っ張りで掛止部材２１は支軸部１４を支点として図の手前方向（左方向）にガイド長孔１２に沿ってばね２３の付勢に抗して回転し、フック部２２の掛止部２２ｃは、図１６に示すように回転により手前側に向く。
これとともに、フック部２２のガイド片１２２は、掛止部２２ｃの向きとは反対側でフック部２２の軸方向先端部方向に突出量が徐々に小さく傾斜した向きとなり、衣服５の引っ掛かった襟部５ａが斜辺に沿って滑って外れる方向となり、襟部５ａが掛止部材２１から容易に外れる向きとなる。
【００４３】
この結果、矢印（エ）への衣服５の引っ張りを継続することにより、図１６に示すように襟部５ａは掛止部２２ｃに引っ掛かることなく、且つガイド片１２２にガイドされて掛止部２２ｃから容易に外れる。
従って、衣服を無理に掛止用フック１０の掛止部材２１から外そうと引っ張っても、衣服を掛止するフック部２２の掛止部２２ｃは向きが手前側となり、ガイド片１２２の傾斜とも相俟って衣服の襟部５ａは手前側に抜け出す方向に引かれることとなる。
これにより、幼稚園等の園児が往々にして行う衣服の引っ張りによる掛止用フック１０からの取り外しに際し、衣服を傷めたり、掛止用フックの各部を損傷したり、フックを介してロッカーの取付壁面へ悪影響を及ぼすことを防止することができる。
【００４４】
図１７及び図１８は、掛止部材の更なる他の実施の形態を示す斜視図及び掛止部材単品の側面図である。図において、前記した構成と同一部分には同一符号を付し、説明は省略する。
図１８に示したように、掛止部材２２１は、フック部２２２が角度の浅い略Ｌ形で、フック状の先端部を有する軸部２２２Ａ（フック部分）と、該軸部２２２Ａの末端部で支軸２２２Ｃで屈曲自在に支持される断面が凹形の支持部２２２Ｂ（基部）とからなり、支持部２２２Ｂは基部２１ａ上部のアーム部２１ｃより突出した大径段部２２ａから基部２１ａと直交する方向に突設されている。
【００４５】
掛止部材２２１は、ばねで付勢されてストッパ（突起）１６Ａに当接している規制位置では、掛止部２２ｃは図１８と同様の状態で略Ｌ形をなすように上方を向き、衣服５の襟部５ａを引っ掛けた状態で、軸部２２２の末端部と支持部２２２Ｂの嵌合部が当接し、屈曲を阻止されて衣服を引っ掛けた状態に保持する。
【００４６】
衣服５の引っ張りで、掛止部材２２１は支軸部１４を支点として図の手前方向（左方向）にガイド長孔１２に沿ってばね２３の付勢に抗して回転する。これとともに、フック部２２２の軸部２２２Ａの向きは手前側となり、衣服５を引っ張ると支軸２２２Ｃを支点として支持部２２２Ｂに対して軸部２２２Ａは手前側に屈曲し、衣服５の襟部５ａが容易に外れる方向に折れ曲がり、基盤１１に負荷を全く作用させることなく、衣服は極めて容易に外れることとなる。
【００４７】
尚、本発明に係る衣服掛止用フックは、実施の形態ではロッカーに適用したが、室内の壁面等にも適用可能である。
【産業上の利用可能性】
【００４８】
本発明の衣服類掛止用フックは、幼稚園等の幼児用ロッカーに設置するに好適である。
【図面の簡単な説明】
【００４９】
【図１】ロッカー及びロッカーに衣服類を収納した状態を示す説明的斜視図である。
【図２】図１の２部分の拡大図で、衣服類掛止用フックの正面側から見た外観斜視図である。
【図３】図２の矢視３方向の図で、衣服類掛止用フックの正面図である。
【図４】図３の４−４線断面図である。
【図５】基盤の要部の背面図である。
【図６】位置決め機構の説明的斜視図である。
【図７】衣服類掛止用フックの分解斜視図である。
【図８】フックの掛止部材に衣服を掛止した状態を示す斜視図である。
【図９】図８の状態から衣服を引っ張った状態を示す斜視図である。
【図１０】ストッパの他の実施の形態を示す斜視図である。
【図１１】長孔のブリッジ部の一方を除去し、ストッパを形成した状態の説明的斜視図である。
【図１２】図１１におけるストッパを採用したフックの正面図である。
【図１３】ストッパの更なる他の実施の形態を示す斜視図である。
【図１４】掛止部材の他の実施の形態を示す図で、（ａ）は側面図、（ｂ）は正面図である。
【図１５】図１４の掛止部材による衣服の掛止状態を示す斜視図である。
【図１６】図１４の掛止部材による衣服の取り外し操作の状態を示す斜視図である。
【図１７】掛止部材の更なる他の実施の形態を示す斜視図である。
【図１８】図１７の掛止部材の単品の側面図である。
【符号の説明】
【００５０】
１…ロッカー、  ２ａ…側壁（壁面）、  ５…衣服、  １０…掛止用フック、  １１…基盤、  １２，１３…ガイド部であるガイド長孔、  ２１…掛止部材、  ２３…付勢部材であるばね、  １６Ａ，１６Ｂ，１１６Ａ，１１６Ｂ…位置決め機構を構成するストッパ、  １２２…傾斜縁であるガイド片、  ２２１…掛止部材、  ２２２Ａ…フック部分である軸部、  ２２２Ｂ…基部である支持部、  ２２２Ｃ…屈曲部である支軸。
【図１】
2006230960.tif 000003
【図２】
2006230960.tif 000004
【図３】
2006230960.tif 000005
【図４】
2006230960.tif 000006
【図５】
2006230960.tif 000007
【図６】
2006230960.tif 000008
【図７】
2006230960.tif 000009
【図８】
2006230960.tif 000010
【図９】
2006230960.tif 000011
【図１０】
2006230960.tif 000012
【図１１】
2006230960.tif 000013
【図１２】
2006230960.tif 000014
【図１３】
2006230960.tif 000015
【図１４】
2006230960.tif 000016
【図１５】
2006230960.tif 000017
【図１６】
2006230960.tif 000018
【図１７】
2006230960.tif 000019
【図１８】
2006230960.tif 000020